(57)【要約】【課題】ＤＶＤ等の映像記録媒体に記録された映像を再生する場合に、異なる映像再生装置であっても、記録された映像の指定部分を一回の操作で再生可能にする。【解決手段】ユーザーからの入力を受け付ける入力機能１０と、入力機能１０からの入力情報に基づいて各機能を制御する制御機能２０と、異なる機種の映像再生装置における、各機種を操作するための送信コード情報と、各機種を示す動作モード情報とを記憶するデータ管理機能８０と、リモコン装置に登録された動作モード情報を管理する動作モード管理機能６０と、映像記録媒体を再生するための送信コード情報を映像再生装置に送信する送信機能５０とを備え、動作モード情報を操作対象の映像再生装置の機種に応じて変更し、映像記録媒体に記録された映像のうち指定したチャプターを再生するための複数の送信コード情報を、動作モード情報に応じてデータ管理機能８０から取得し、映像再生装置に送信する。【選択図】図４
2012028844.tif 000002
【特許請求の範囲】
【請求項１】
絵本や教本等の印刷物に対応した映像を記録した映像記録媒体を再生する映像再生装置を操作するためのリモコン装置であって、
ユーザーからの入力を受け付ける入力機能と、
前記入力機能からの入力情報に基づいて各機能を制御する制御機能と、
異なる機種の映像再生装置における、各機種を操作するための送信コード情報と、各機種を示す動作モード情報とを記憶するデータ管理機能と、
前記リモコン装置に登録された動作モード情報を管理する動作モード管理機能と、
前記映像記録媒体を再生するための送信コード情報を前記映像再生装置に送信する送信機能とを備え、
前記動作モード管理機能は、前記動作モード情報を操作対象の映像再生装置の機種に応じて変更し、
前記送信機能は、前記映像記録媒体に記録された映像のうち指定したチャプターを再生するための複数の送信コード情報を、前記動作モード情報に応じて前記データ管理機能から取得し、前記映像再生装置に送信することを特徴とするリモコン装置。
【請求項２】
前記リモコン装置の処理状態を示す現在状態情報を管理する状態管理機能を備え、
前記制御機能は、前記入力機能からの入力情報と、前記状態管理機能からの現在状態情報に基づいて各機能を制御することを特徴とする請求項１に記載のリモコン装置。
【請求項３】
前記データ管理機能は、前記映像記録媒体に記録された複数のチャプターのそれぞれの再生時間であるチャプター時間情報を記憶しており、
前回の再生開始からの時間を計測して、前回再生チャプターの再生時間情報を管理するチャプター時間管理機能を備え、
前記送信機能は、前記チャプター時間情報と前記再生時間情報とを比較して前回再生が終了したかどうかを判断し、前回再生が終了したか否かによって前記映像再生装置に送信する送信コードを決定することを特徴とする請求項１又は請求項２に記載のリモコン装置。
【請求項４】
映像再生装置の付属リモコンからの送信コードを受信し、前記入力機能から入力される入力情報に割り付けて、前記データ管理機能に記憶する記憶機能を備えたことを特徴とする請求項１乃至請求項３のうちいずれか１つに記載のリモコン装置。
【請求項５】
絵本や教本等の印刷物に対応した映像を記録した映像記録媒体を再生する映像再生装置を操作するためのリモコン装置を操作するリモコン操作方法であって、
前記リモコン装置は、異なる機種の映像再生装置における、各機種を操作するための送信コード情報と、各機種を示す動作モード情報とを記憶するデータ管理機能を備えており、
ユーザーからの入力を受け付ける入力ステップと、
前記入力ステップからの入力情報に基づいて各機能を制御する制御ステップと、
前記リモコン装置に登録された動作モード情報を管理する動作モード管理ステップと、
前記映像記録媒体を再生するための送信コード情報を前記映像再生装置に送信する送信ステップとを有し、
前記動作モード管理ステップにおいて、前記動作モード情報を操作対象の映像再生装置の機種に応じて変更し、
前記送信ステップにおいて、前記映像記録媒体に記録された映像のうち指定したチャプターを再生するための複数の送信コード情報を、前記動作モード情報に応じて前記データ管理機能から取得し、前記映像再生装置に送信することを特徴とするリモコン操作方法。
【請求項６】
絵本や教本等の印刷物に対応した映像を記録した映像記録媒体を再生する映像再生装置を操作するためのリモコン装置の機能を実現させるためのリモコン操作プログラムであって、
前記リモコン装置は、異なる機種の映像再生装置における、各機種を操作するための送信コード情報と、各機種を示す動作モード情報とを記憶するデータ管理機能を備えており、
ユーザーからの入力を受け付ける入力機能と、
前記入力ステップからの入力情報に基づいて各機能を制御する制御機能と、
前記リモコン装置に登録された動作モード情報を管理する動作モード管理機能と、
前記映像記録媒体を再生するための送信コード情報を前記映像再生装置に送信する送信機能とを実現させ、
前記動作モード管理機能は、前記動作モード情報を操作対象の映像再生装置の機種に応じて変更し、
前記送信機能は、前記映像記録媒体に記録された映像のうち指定したチャプターを再生するための複数の送信コード情報を、前記動作モード情報に応じて前記データ管理機能から取得し、前記映像再生装置に送信することを特徴とするリモコン操作プログラム。
【発明の詳細な説明】
【技術分野】
【０００１】
本発明は、ＤＶＤ（Ｄｉｇｉｔａｌ  Ｖｅｒｓａｔｉｌｅ  Ｄｉｓｃ）等の映像記録媒体に記録された映像を再生する場合に、異なる映像再生装置であっても、記録された映像の指定部分を一回の操作で再生することのできる、リモコン装置、リモコン操作方法、及びリモコン操作プログラムに関するものである。
【背景技術】
【０００２】
従来、絵本や教本等の印刷物に加えて、この印刷物に記載された内容に対応した映像が収録されたＤＶＤ等の映像記録媒体を付属した、いわゆるセット本が販売されている。例えば、動物の絵本と、その絵本の中の動物を紹介した映像を収録したＤＶＤといった具合である。ＤＶＤ付の動物の絵本を楽しむ場合には、絵本の頁をめくりながら、ＤＶＤプレーヤの付属リモコンを操作して、その頁に掲載された動物についてのチャプターを再生する。このようなＤＶＤ付絵本によれば、絵本で動物の特徴等を学び、さらに動物を紹介した映像を見ることで、その動物に対する理解をより深めることができる。ゴルフ等のスポーツ教本と、そのスポーツのスイング等の見本を示した映像を収録したＤＶＤでも同様のことがいえる。
【０００３】
一方、音声の入ったＣＤ（Ｃｏｍｐａｃｔ  Ｄｉｓｃ）を付属した絵本類に関して、特許文献１には、ＣＤの再生装置を操作するためのリモートコントロール装置を絵本類に内蔵した発明が記載されている。この発明によれば、絵本を見ながら読者が自分のペースでＣＤの朗読の進行をコントロールできるようになっている。
【０００４】
また、ＤＶＤプレーヤ用のリモコン装置に関して、特許文献２には、プログラム選択キーと信号発信回路とを備え、プログラム選択キーによってプログラムを選択し、信号発信回路によって選択されたプログラムの信号を発信するようにしたリモコン装置の発明が記載されている。この発明によれば、プログラム選択キーを操作するのみでＤＶＤプレーヤにおいて相応するプログラムの頭出しをワンタッチで操作できるようになっている。
【先行技術文献】
【特許文献】
【０００５】
【特許文献１】特開平９−９３６２号公報
【特許文献２】実用新案登録第３１０８９３５号公報
【発明の概要】
【発明が解決しようとする課題】
【０００６】
しかしながら、絵本等の印刷物を見ながらＤＶＤ等の映像記録媒体を再生する再生装置を付属リモコンで操作する場合、以下のような問題がある。例えば、動物の絵本とＤＶＤのケースを考える。絵本の各頁には、それぞれ異なる動物が描かれており、ＤＶＤにはそれぞれの動物に関する映像が、複数のチャプターとして記録されているとする。絵本の頁をめくりながら、その頁に描かれた動物の映像を映し出すためには、ＤＶＤプレーヤの付属リモコンを操作するのであるが、その際には機種によって若干の違いはあるものの、「タイトル画面の表示」、「チャプターの選択」、「決定」といった複数回のボタン操作が必要になる。こうした複数回の操作は煩雑であり、特に絵本を好む幼児等が操作することは難しく、できるだけ簡単な操作で映像を再生することが可能となるような装置が望まれる。
【０００７】
これに対して、特許文献１に記載された発明は、リモコン装置を絵本類に内蔵して、絵本を見ながら読者が自分のペースでＣＤの朗読の進行をコントロールできるようにしたものであるが、ＣＤの再生操作は収録された音声トラックの選択操作だけであるのに対して、ＤＶＤの再生操作は「タイトル画面の表示」、「チャプターの選択」、「決定」といった複数回のボタン操作が必要であるため、両者の再生操作は異なる。従って、特許文献１に記載された発明を、印刷物と映像記録媒体に適用することはできない。
【０００８】
また、特許文献２に記載された発明は、プログラム選択キーを操作するのみでＤＶＤプレーヤにおいて相応するプログラムの頭出しをワンタッチで操作できるようにしたものであるが、これを実現するための機能構成が必ずしも明確とはいえない。また、複数の機種のＤＶＤプレーヤにも対応できるとの記載があるが、機種によってはＤＶＤ再生時に異なる操作が必要な場合があるため、これに対応することができない。
【０００９】
本発明は、上記従来の課題を解決するものであり、ＤＶＤ等の映像記録媒体に記録された映像を再生する場合に、異なる映像再生装置であっても、記録された映像の指定部分を一回の操作で再生することを可能にするものである。
【課題を解決するための手段】
【００１０】
請求項１に係る発明のリモコン装置は、絵本や教本等の印刷物に対応した映像を記録した映像記録媒体を再生する映像再生装置を操作するためのリモコン装置であって、ユーザーからの入力を受け付ける入力機能と、前記入力機能からの入力情報に基づいて各機能を制御する制御機能と、異なる機種の映像再生装置における、各機種を操作するための送信コード情報と、各機種を示す動作モード情報とを記憶するデータ管理機能と、前記リモコン装置に登録された動作モード情報を管理する動作モード管理機能と、前記映像記録媒体を再生するための送信コード情報を前記映像再生装置に送信する送信機能とを備え、前記動作モード管理機能は、前記動作モード情報を操作対象の映像再生装置の機種に応じて変更し、前記送信機能は、前記映像記録媒体に記録された映像のうち指定したチャプターを再生するための複数の送信コード情報を、前記動作モード情報に応じて前記データ管理機能から取得し、前記映像再生装置に送信することを特徴とする。
【００１１】
請求項２に係る発明は、請求項１に記載のリモコン装置において、前記リモコン装置の処理状態を示す現在状態情報を管理する状態管理機能を備え、前記制御機能は、前記入力機能からの入力情報と、前記状態管理機能からの現在状態情報に基づいて各機能を制御することを特徴とする。
【００１２】
請求項３に係る発明は、請求項１又は請求項２に記載のリモコン装置において、前記データ管理機能は、前記映像記録媒体に記録された複数のチャプターのそれぞれの再生時間であるチャプター時間情報を記憶しており、前回の再生開始からの時間を計測して、前回再生チャプターの再生時間情報を管理するチャプター時間管理機能を備え、前記送信機能は、前記チャプター時間情報と前記再生時間情報とを比較して前回再生が終了したかどうかを判断し、前回再生が終了したか否かによって前記映像再生装置に送信する送信コードを決定することを特徴とする。
【００１３】
請求項４に係る発明は、請求項１乃至請求項３のうちいずれか１つに記載のリモコン装置において、映像再生装置の付属リモコンからの送信コードを受信し、前記入力機能から入力される入力情報に割り付けて、前記データ管理機能に記憶する記憶機能を備えたことを特徴とする。
【００１４】
請求項５に係る発明のリモコン操作方法は、絵本や教本等の印刷物に対応した映像を記録した映像記録媒体を再生する映像再生装置を操作するためのリモコン装置を操作するリモコン操作方法であって、前記リモコン装置は、異なる機種の映像再生装置における、各機種を操作するための送信コード情報と、各機種を示す動作モード情報とを記憶するデータ管理機能を備えており、ユーザーからの入力を受け付ける入力ステップと、前記入力ステップからの入力情報に基づいて各機能を制御する制御ステップと、前記リモコン装置に登録された動作モード情報を管理する動作モード管理ステップと、前記映像記録媒体を再生するための送信コード情報を前記映像再生装置に送信する送信ステップとを有し、前記動作モード管理ステップにおいて、前記動作モード情報を操作対象の映像再生装置の機種に応じて変更し、前記送信ステップにおいて、前記映像記録媒体に記録された映像のうち指定したチャプターを再生するための複数の送信コード情報を、前記動作モード情報に応じて前記データ管理機能から取得し、前記映像再生装置に送信することを特徴とする。
【００１５】
請求項６に係る発明のリモコン操作プログラムは、絵本や教本等の印刷物に対応した映像を記録した映像記録媒体を再生する映像再生装置を操作するためのリモコン装置の機能を実現させるためのリモコン操作プログラムであって、前記リモコン装置は、異なる機種の映像再生装置における、各機種を操作するための送信コード情報と、各機種を示す動作モード情報とを記憶するデータ管理機能を備えており、ユーザーからの入力を受け付ける入力機能と、前記入力ステップからの入力情報に基づいて各機能を制御する制御機能と、前記リモコン装置に登録された動作モード情報を管理する動作モード管理機能と、前記映像記録媒体を再生するための送信コード情報を前記映像再生装置に送信する送信機能とを実現させ、前記動作モード管理機能は、前記動作モード情報を操作対象の映像再生装置の機種に応じて変更し、前記送信機能は、前記映像記録媒体に記録された映像のうち指定したチャプターを再生するための複数の送信コード情報を、前記動作モード情報に応じて前記データ管理機能から取得し、前記映像再生装置に送信することを特徴とする。
【発明の効果】
【００１６】
本発明によれば、ユーザーからの入力を受け付ける入力機能と、入力機能からの入力情報に基づいて各機能を制御する制御機能と、異なる機種の映像再生装置における、各機種を操作するための送信コード情報と、各機種を示す動作モード情報とを記憶するデータ管理機能と、リモコン装置に登録された動作モード情報を管理する動作モード管理機能と、映像記録媒体を再生するための送信コード情報を映像再生装置に送信する送信機能とを備えており、動作モード管理機能により、動作モード情報を操作対象の映像再生装置の機種に応じて変更することができるので、異なる映像再生装置であっても同じリモコン装置により操作することができる。さらに、送信機能により、映像記録媒体に記録された映像のうち指定したチャプターを再生するための複数の送信コード情報を、動作モード情報に応じてデータ管理機能から取得し、映像再生装置に送信することができるので、記録された映像の指定部分を一回の操作で再生することができる。以上により、絵本や教本等の印刷物に対応した映像を記録した映像記録媒体を再生する場合に、異なる映像再生装置であっても操作でき、かつ簡単に操作することができる。
【００１７】
また本発明によれば、リモコン装置の処理状態を示す現在状態情報を管理する状態管理機能を備えており、制御機能により、入力機能からの入力情報と、状態管理機能からの現在状態情報に基づいて各機能を制御することができる。従って、同一の入力情報であっても現在状態情報が違えば処理が異なるため、同一のボタンに複数の機能を持たすことができ、入力ボタンを少なくすることができる。
【００１８】
また、本発明によれば、データ管理機能は、映像記録媒体に記録された複数のチャプターのそれぞれの再生時間であるチャプター時間情報を記憶しており、前回の再生開始からの時間を計測して、前回再生チャプターの再生時間情報を管理するチャプター時間管理機能を備えており、送信機能により、チャプター時間情報と再生時間情報とを比較して前回再生が終了したかどうかを判断し、前回再生が終了したか否かによって映像再生装置に送信する送信コードを決定することができる。機種によっては、前回再生チャプターの再生が終了したかどうかにより、任意チャプターの再生のために必要な送信コードが異なる場合があるが、この問題を解決することができる。
【００１９】
また、本発明によれば、映像再生装置の付属リモコンからの送信コードを受信し、入力機能から入力される入力情報に割り付けて、データ管理機能に記憶する記憶機能を備えており、予めリモコン装置に登録されていない機種の映像再生装置であっても操作することができる。
【００２０】
以上、本発明によれば、ＤＶＤ等の映像記録媒体に記録された映像を再生する場合に、異なる映像再生装置であっても、記録された映像の指定部分を一回の操作で再生することができる。
【図面の簡単な説明】
【００２１】
【図１】本発明の実施形態に係るリモコン装置を用いた映像再生システムの構成図である。
【図２】リモコン装置のハードウェア機能ブロック図である。
【図３】リモコン装置の入力スイッチを示す平面図である。
【図４】リモコン装置のソフトウェア機能ブロック図である。
【図５】リモコン装置から映像再生装置に送信する送信コードのデータ構成図である。
【図６】リモコン装置の操作状態を示す状態遷移図である。
【図７】キー入力処理を示すフローチャートである。
【図８】モード変更処理を示すフローチャートである。
【図９】再生処理を示すフローチャートである。
【図１０】再生処理を示すフローチャートである。
【図１１】再生処理を示すフローチャートである。
【図１２】記憶処理を示すフローチャートである。
【図１３】リモコン装置の使用状態の実施例を示す図である。
【発明を実施するための形態】
【００２２】
次に、図１乃至図１３を参照して、本発明の実施形態に係るリモコン装置について説明する。
【００２３】
（映像再生システムの構成）
図１は、本発明の実施形態に係るリモコン装置を用いた映像再生システム５００の構成図である。映像再生システム５００は、絵本等の印刷物１、リモコン装置２、ＤＶＤ等の映像記録媒体３、映像記録媒体３を再生するためのＤＶＤプレーヤ等の映像再生装置４、及び映像再生用のディスプレイ５から構成されている。
【００２４】
印刷物１は、特に内容が限定されるものではないが、絵本やスポーツ教本等、関連する映像を視聴しながら読むことで理解が深まるような種類のものであると効果的である。
【００２５】
リモコン装置２は、印刷物１に付属されており、映像再生装置４を操作するためのものである。またリモコン装置２は、映像再生装置４の機種が異なる場合でも操作することができるように構成されている。リモコン操作装置２の詳細な構成については後述する。なお、リモコン装置２は、印刷物１と一体的に構成されていてもよいし。印刷物１と別体になっていてもよい。
【００２６】
映像記録媒体３は、印刷物１に付属されており、印刷物１に記載された内容に対応した映像が収録されている。例えば、動物の絵本とその絵本の中の動物を紹介した映像を収録したＤＶＤや、ゴルフ等のスポーツ教本とそのスポーツのスイング等の見本を示した映像を収録したＤＶＤといったものである。また、映像記録媒体３に収録された映像は、予め複数のチャプターに分割されている。例えば、動物の絵本であれば、それぞれの動物ごとにチャプターが作られており、ゴルフ教本であれば、それぞれの場面や使用クラブごとにチャプターが作られている。なお。映像記録媒体３は、映像が複数のチャプターに分割されて収録されているものであれば、ＤＶＤに限らず、例えばＢｌｕ−ｒａｙ  Ｄｉｓｃ（ブルーレイディスク）であってもよい。
【００２７】
映像再生装置４は、映像記録媒体３を再生できるものであれば、メーカーや機種は特に限定されない。また、ディスプレイ５も、映像再生装置４と接続されて映像を再生できるものであれば、メーカーや機種は特に限定されない。
【００２８】
印刷物１、リモコン装置２、及び映像記録媒体３は、セットで購入することもできるし、または別々に購入することもできる。これらを購入したユーザーは、映像記録媒体３を自宅等の映像再生装置４にセットし、印刷物１を読み始める。そして、頁をめくりながら必要になると、リモコン装置２を操作して、映像記録媒体３に収録された映像のうち所望のチャプターを再生することができるようになっている。
【００２９】
（リモコン装置のハードウェア構成）
次に、図２を参照して、リモコン装置２のハードウェア構成について説明する。図２は、リモコン装置２のハードウェア機能ブロック図である。リモコン装置２は、電圧供給用のＶＣＣ２１、ＣＰＵ２２、ユーザーの入力を受け付ける入力スイッチ２３、赤外線パターンを送信する赤外線ＬＥＤ２４、赤外線パターンを受信する赤外線受光モジュール２５、動作周波数を供給するＯＳＣ２６、及び赤外線パターンや各種データコード等を記録する不揮発性メモリ２７から構成されている。
【００３０】
不揮発性メモリ２７には、予め各メーカーの機種に応じて、映像再生装置４を操作するための赤外線パターンが記録されている。ユーザーが映像再生装置４で映像記録媒体３を再生するためにリモコン装置２を操作すると、入力スイッチ２３への入力に応じて、不揮発性メモリ２７に記録された赤外線パターンを取り出して、赤外線ＬＥＤ２４から映像再生装置４に向けて送信するようになっている。
【００３１】
また、予めリモコン装置２に赤外線パターンが記憶されていない機種の映像再生装置４の操作を可能とするために、赤外線受光モジュール２５を設けて、不揮発性メモリ２７に新たな赤外線パターンを記憶するようになっている。これにより、予めリモコン装置２に赤外線パターンが記憶されていない機種についても操作することができるようになっている。
【００３２】
次に、図３を参照して、リモコン装置２の入力スイッチ２３について説明する。図３は、リモコン装置２の入力スイッチ２３を示す平面図である。入力スイッチ２３は、モード変更ボタン１１、記憶ボタン１２、予備ボタン１３、及び１，２，・・・，９，１０の各再生ボタン１４から構成されている。
【００３３】
モード変更ボタン１１は、リモコン装置２の動作モードを変更する場合に使用する。ここで「動作モード」とは、映像記録媒体３を再生する映像再生装置４の機種に応じたモードであって、動作モードを変更することにより、リモコン装置２から送信する赤外線パターンを映像再生装置４の機種に対応したものにすることができる。
【００３４】
記憶ボタン１２は、リモコン装置２に任意の赤外線パターンを記憶させる場合に使用する。「任意の赤外線パターン」とは、リモコン装置２に予め登録されていない機種の映像再生装置４の操作を可能とするための、新たな赤外線パターンをいう。また、予備ボタン１３も、任意の赤外線パターンを記憶させる場合に使用する。
【００３５】
再生ボタン１４は、映像記録媒体３の任意のチャプターを指定して再生する場合に使用する。また、動作モードの変更時には数字キーとして、任意の赤外線パターンの記憶時には記憶する赤外線パターンの割付先ボタンとして、それぞれ使用する。
【００３６】
また、各再生ボタン１４には、それぞれのボタンに対応した図柄１５が、シール等により表示されている。図柄１５は、各再生ボタン１４を押したときに再生されるチャプターに関連するものであり、例えば動物の絵本であれば、ａ→さる、ｂ→ライオン、ｃ→うさぎ、ｄ→ひつじ、・・・といった具合である。
【００３７】
（リモコン装置のソフトウェア構成）
次に、図４を参照して、リモコン装置２のソフトウェア構成について説明する。図５は、リモコン装置２のソフトウェア機能ブロック図である。リモコン装置２のソフトウェア機能ブロックは、入力機能１０、制御機能２０、状態管理機能３０、記憶機能４０、送信機能５０、動作モード管理機能６０、チャプター時間管理機能７０、データ管理機能８０、Ｅｒｒ管理機能９０、及び初期化機能１００から構成されている。
【００３８】
入力機能１０は、ボタン押下によるユーザーからの入力を受け付け、入力情報を制御機能１０に通知する。
【００３９】
制御機能２０は、入力機能１０からの入力情報と、状態管理機能３０から提供される現在状態情報に基づいて行う処理を決定し、各機能を制御する。このとき、入力機能１０からの入力情報が同じであっても（ユーザーにより押下されたボタンが同じであっても）、後述するリモコン装置２の現在状態が異なれば、制御機能２０が決定する処理も異なる。
【００４０】
状態管理機能３０は、リモコン装置２の処理状態を示す現在状態情報の管理を行い、制御機能２０に対して現在状態情報を提供する。ここで「現在状態情報」とは、リモコン装置２が現在行っている処理を示す情報である。リモコン装置２は、初期状態である「通常」状態を中心として、「モード変更処理」、「再生処理」、「記憶処理」の各状態を遷移しながら処理を行う。各状態の遷移の詳細については、後述する。
【００４１】
記憶機能４０は、リモコン装置２に予め登録されていない機種の映像再生装置４の操作を可能とするために、リモコン装置２に任意の赤外線パターンを記憶する。記憶機能４０は、赤外線受信機能４１と受信データ保存機能４２とから構成されている。赤外線受信機能４１は、予め登録されていない機種の映像再生装置の付属リモコンから発信される赤外線パターン（送信コード）を受信し、一時的に保存する。受信データ保存機能４２は、赤外線受信機能４１で受信した赤外線パターン（送信コード）の情報を、後述するデータ管理機能８０に保存する。
【００４２】
送信機能５０は、映像再生装置４に対して、指定したチャプターの映像を再生するための赤外線パターン（送信コード情報）を送信する。送信機能５０は、マクロ送信機能５１、送信コード取得機能５２、及び赤外線送信機能５３から構成されている。マクロ送信機能５１は、動作モード情報（映像再生装置４の機種情報）と入力情報に応じて、再生に必要な複数のコードを送信する。これら再生に必要な複数のコードは、予め後述するデータ管理機能８０に記憶されており、送信コード取得機能５２は、データ管理機能８０から指定したチャプターの再生に必要な複数のコードを取得する。赤外線送信機能５３は、マクロ送信機能５１から送られた送信コードを赤外線ＬＥＤの点滅に変換して、映像再生装置４に向けて送信する。
【００４３】
動作モード管理機能６０は、リモコン装置２に登録された動作モード情報（映像再生装置４の機種情報）の管理を行う。動作モード管理機能６０は、操作対象の映像再生装置４の機種に応じて行われるユーザー操作により、動作モードを変更して登録し、マクロ送信機能５１に対して現在の動作モード情報を提供する。
【００４４】
チャプター時間管理機能７０は、前回の再生開始からの時間を計測して、前回再生チャプターの再生時間情報の管理を行い、マクロ送信機能５１に対して前回再生チャプターの再生時間情報を提供する。
【００４５】
データ管理機能８０は、異なる機種の映像再生装置における、各機種を操作するための送信コード情報と、各機種を示す動作モード情報、及び映像記録媒体に記録された複数のチャプターのそれぞれの再生時間であるチャプター時間情報を予め記憶しており、他の機能ブロックに対して各情報を提供する。
【００４６】
Ｅｒｒ管理機能９０は、他の機能ブロックにおいてエラーが発生した場合に、エラー表示を行い、初期化機能１００に初期化を指示する。
【００４７】
初期化機能１００は、起動時及びエラー発生時に初期化処理を行う。
【００４８】
（赤外線パターンの送信コードのデータ構成）
次に、図５を参照して、リモコン装置２に予め記録される赤外線パターンの送信コードのデータ構成について説明する。図５に示すデータ構成のうち、「Ｄａｔａ  Ｃｏｄｅ」には、それぞれの各メーカーの機種に応じて、「Ｅｎｔｅｒ」、「Ｔｉｔｌｅ」、「１」〜「０」の各ボタンのデータコードが記録されている。通常、ＤＶＤの任意のチャプターを再生する場合には、「Ｔｉｔｌｅ」ボタンでチャプター一覧を表示し、「１」〜「０」の数字ボタンでチャプターを選択し、「Ｅｎｔｅｒ」ボタンで決定するという操作が必要である。
【００４９】
（状態遷移）
次に、図６を参照して、状態管理機能３０において管理する、リモコン装置２の各状態の遷移の詳細について説明する。図６は、リモコン装置２の操作状態を示す状態遷移図である。リモコン装置２は、初期状態である「通常」状態を中心として状態遷移しながら、「モード変更処理」、「再生処理」、「記憶処理」の各処理を行う。
【００５０】
ここで、「モード変更処理」とは、映像記録媒体３を再生する映像再生装置４の機種に応じて、リモコン装置２から送信する赤外線パターンを変更することをいう。また、「再生処理」とは、映像記録媒体３の任意のチャプターを指定して再生することをいう。また、「記憶処理」とは、リモコン装置２に予め登録されていない機種の映像再生装置４の操作を可能とするために、新たな赤外線パターンをリモコン装置２に記憶させることをいう。
【００５１】
電源Ｏｆｆ状態１００ｂから電源が入れられると、通常状態１００ａに遷移する。この通常状態１００ａから各ボタンが押下されることにより、モード変更処理２００、再生処理３００、及び記憶処理４００の各処理が行われる。
【００５２】
モード変更処理２００は、通常状態１００ａのときにモード変更ボタン１１が押下されて、動作モード変更中状態２００ａに遷移することにより行われる。再生処理３００は、通常状態１００ａのときに再生ボタン１４が押下されて、再生中状態３００ａに遷移することにより行われる。記憶処理４００は、通常状態１００ａのときに記憶ボタン１２が押下されて、受信中状態４００ａ及び記憶中状態４００ｂに遷移することにより行われる。各処理が終了したりエラーが発生したりした場合には、通常状態１００ａに戻る。
【００５３】
次に、図６の遷移図と、図７乃至図１０のフローチャートを参照して、モード変更処理２００、再生処理３００、及び記憶処理４００の各処理について詳細に説明する。
【００５４】
（キー入力処理）
図７は、各処理の基本となるキー入力処理を示すフローチャートである。電源Ｏｆｆ状態１００ｂから電源を入れると、初期化機能１００により初期化処理が行われ（ステップＳ１０１）、通常状態１００ａに遷移する。そして、入力機能１０により、何らかのキー入力がされると（ステップＳ１０２Ｙｅｓ）、入力キーに対する動作を行い（ステップＳ１０３）、再びキー入力待ちの状態になる。キー入力がなければ（ステップＳ１０２Ｎｏ）、キー入力待ちの状態が続く。
【００５５】
（モード変更処理）
次に、モード変更処理２００について説明する。図８は、モード変更処理２００を示すフローチャートである。ユーザーは、使用する映像再生機器４の機種に応じて動作モードを変更するために、まず通常状態１００ａにおいてモード変更ボタン１１を押下する。モード変更ボタン１１が押下されると（ステップＳ２０１Ｙｅｓ）、動作モード変更中状態２００ａに遷移する。このとき、制御機能２０は状態管理機能３０に対して、動作モード変更中状態２００ａに遷移したことを通知し、状態管理機能３０は、現在状態情報として保持する。なお、通常状態１００ａにおいて、モード変更ボタン１１が押されなければ（ステップＳ２０１Ｎｏ）、モード変更処理は行われない。
【００５６】
次に、ユーザーは、使用する映像再生装置４の機種を示す４桁の数字を入力する。このときユーザーは、再生ボタン１４を数字入力として使用し、入力機能１０から制御機能２０へと入力情報が送られる（ステップＳ２０２〜Ｓ２０５）。なお、本実施形態では、映像再生装置４の機種を示す数字を４桁としたが、桁数は登録する機種の数に応じて変更することが可能である。
【００５７】
制御機能２０は、入力機能１０から送られた入力情報と、状態管理機能３０が保持する現在状態情報に基づいて、送られた入力情報が動作モード情報（映像再生装置４の機種情報）であると判断する。そして、データ管理機能８０に予め保持されている動作モード情報と比較して、入力コードの範囲チェックを行う（ステップＳ２０６）。
【００５８】
範囲内であれば（ステップＳ２０７Ｙｅｓ）、動作モードを変更して動作モード管理機能６０に保存し（ステップＳ２０８）、モード変更処理を完了して通常状態１００ａに戻る。このとき、状態管理機能３０は、現在状態情報を通常状態１００ａに変更する。範囲外であれば（ステップＳ２０７Ｎｏ）、処理を終了し通常状態１００ａに戻る。
【００５９】
（再生処理）
次に、再生処理３００について説明する。図９は、再生処理３００を示すフローチャートである。ユーザーは、印刷物１を読んでいるときに、映像記録媒体３に記録された映像の中から視聴したい映像を再生するために、通常状態１００ａにおいて、視聴したい映像に対応する再生ボタン１４を押下する。再生ボタン１４が押下されると（ステップＳ３０１Ｙｅｓ）、再生中状態３００ａに遷移する。このとき、制御機能２０は状態管理機能３０に対して、再生中状態３００ａに遷移したことを通知し、状態管理機能３０は、現在状態情報として保持する。なお、通常状態１００ａにおいて、再生ボタン１４が押されなければ（ステップＳ３０１Ｎｏ）、再生処理は行われない。
【００６０】
制御機能２０は、入力機能１０から送られた入力情報と、状態管理機能３０が保持する現在状態情報に基づいて、送られた入力情報が再生するチャプターを示す情報であると判断する。そして、制御機能２０は送信機能５０に対して、入力機能１０からの入力情報（再生するチャプターの情報）を送り、映像再生装置４への赤外線送信を指示する。
【００６１】
送信機能５０の中のマクロ送信機能５１は、データ管理機能８０が保持している前回再生チャプターのチャプター時間情報と、チャプター管理機能７０が保持している前回再生チャプターの再生時間情報を比較し、前回の再生が終わっているかを判断する（ステップＳ３０２）。前回の再生が終わっていない場合（ステップＳ３０２Ｎｏ）、マクロ送信機能５１は、送信コード取得機能５２を介して、データ管理機能８０から送信コード「Ｔｉｔｌｅ」を取得し、赤外線送信機能５３を介して、赤外線コード「Ｔｉｔｌｅ」を送信する（ステップＳ３０３）。前回の再生が終わっている場合（ステップＳ３０２Ｙｅｓ）、赤外線コード「Ｔｉｔｌｅ」を送信せずに次の処理に進む。
【００６２】
次に、マクロ送信機能５１は、送信コード取得機能５２を介して、データ管理機能８０から送信コード「１」〜「０」のうちユーザーからの入力情報により指定された送信コードを取得し、赤外線送信機能５３を介して送信する（ステップＳ３０４）。
【００６３】
次に、マクロ送信機能５１は、送信コード取得機能５２を介して、データ管理機能８０から送信コード「Ｅｎｔｅｒ」を取得し、赤外線送信機能５３を介して、赤外線コード「Ｅｎｔｅｒ」を送信し（ステップＳ３０５）、再生処理を完了して通常状態１００ａに戻る。このとき、状態管理機能３０は、現在状態情報を通常状態１００ａに変更する。
【００６４】
ここで、上記処理フローにおいては、前回の再生が終わっていない場合（ステップＳ３０２Ｎｏ）、赤外線コード「Ｔｉｔｌｅ」を送信することで（ステップＳ３０３）、Ｔｉｔｌｅ画面（チャプター選択画面）に戻ってチャプターを選択し、選択したチャプターを最初から再生するようにしている。しかしながら、映像再生装置４の機種によっては、再生が終わっていないチャプターと同一のチャプターを選択すると、チャプターの最初から再生することができず、途中からしか再生できないという不具合が生じる。その場合は、図１０に示すような処理フローにより対応することができる。
【００６５】
図１０に示す処理フローにおいては、前回の再生が終わっていない場合（ステップＳ３０２Ｎｏ）、入力された再生キーが前回キー（現在再生中のキー）と同一かどうかを判断する（ステップＳ３０６）。前回キーと同一の場合（ステップＳ３０６Ｙｅｓ）、データ管理機能８０から送信コード「Ｐｒｅｖ」を取得し、赤外線送信機能５３を介して、赤外線コード「Ｐｒｅｖ」を送信する（ステップＳ３０７）。送信コード「Ｐｒｅｖ」は、再生中のチャプターを最初から再生する、いわゆる頭出しを行うコードであり、予め図５に示す送信コードのデータ構成図に追加する形で、データ管理部８０に記憶しておく。前回キーと同一ではない場合（ステップＳ３０６Ｎｏ）の処理は、図９に示す処理フローと同一である。
【００６６】
また、図９に示す赤外線コード「１〜０」の送信（ステップＳ３０４）において、映像再生装置４の機種によって、２桁の番号のチャプターを選択したときの処理が異なる場合がある。例えば、チャプター番号１０を選択する場合に、（１）付属リモコンの「ボタン１→ボタン０」により選択する機種の他に、（２）付属リモコンに「＋１０」ボタンを設けて「ボタン＋１０→ボタン０」と選択する機種が存在する。このような場合には、図１１に示すような処理フローにより対応することができる。図１１に示す処理フローは、図９に示す再生処理フローのうち、選択されたチャプター番号が１０であった場合の、ステップＳ３０４における処理の詳細を示すものである。
【００６７】
図１１に示す処理フローにおいては、選択されたチャプター番号が１０であった場合、映像再生装置４の再生方式が、（１）「１→０」方式、（２）「＋１０→０」方式のいずれであるかを判断する（ステップＳ３０４ａ）。再生方式が（２）「＋１０→０」の場合（ステップＳ３０４ａＹｅｓ）、赤外線コード「＋１０」の送信（ステップＳ３０４ｂ）と赤外線コード「０」の送信（ステップＳ３０４ｄ）を行う。再生方式が（１）「１→０」の場合（ステップＳ３０４ａＮｏ）、赤外線コード「１」の送信（ステップＳ３０４ｃ）と赤外線コード「０」の送信（ステップＳ３０４ｄ）を行う。なお、送信コード「＋１０」は、予め図５に示す送信コードのデータ構成図に追加する形で、データ管理部８０に記憶しておく。
【００６８】
（記憶処理）
次に、記憶処理４００について説明する。図１０は、記憶処理４００を示すフローチャートである。ユーザーは、使用する映像再生機器４が予めリモコン装置２に登録されていない場合、新たな機種の赤外線パターンをリモコン装置２に記憶させるために、通常状態１００ａにおいて、記憶ボタン１２を押下する。記憶ボタン１２が押下されると（ステップＳ４０１Ｙｅｓ）、受信中状態４００ａに遷移する。このとき、制御機能２０は状態管理機能３０に対して、受信中状態４００ａに遷移したことを通知し、状態管理機能３０は、現在状態情報として保持する。なお、通常状態１００ａにおいて、記憶ボタン１２が押されなければ（ステップＳ４０１Ｎｏ）、記憶処理は行われない。
【００６９】
次に、ユーザーは使用する映像再生機器４の付属リモコンのボタンのうち、リモコン装置２に割り付けるべきボタンを押して、リモコン装置２の赤外線受光モジュールに向けて赤外線を発信する。リモコン装置２の記憶機能４０の中の赤外線受信機能４１は、赤外線入力を待ち（ステップＳ４０２）、赤外線入力があると（ステップＳ４０２Ｙｅｓ）、赤外線パターンを一時的に記憶する（ステップＳ４０３）。赤外線入力がなければ（ステップＳ４０２Ｎｏ）、入力待ちの状態で待機する。赤外線パターンの受信が完了すると、記憶中状態４００ｂに遷移する。制御機能２０は状態管理機能３０に対して、記憶中状態４００ｂに遷移したことを通知し、状態管理機能３０は、現在状態情報として保持する。
【００７０】
次に、ユーザーは、記憶した赤外線パターンを、リモコン装置２の再生ボタン１４のうちどのボタンに割り付けるかを決定し、割り付ける再生ボタン１４を押下する。制御機能２０は、入力機能１０から送られた入力情報と、状態管理機能３０が保持する現在状態情報に基づいて、送られた入力情報が一時的に記憶した赤外線パターンを割り付ける再生ボタンを示す情報であると判断する。
【００７１】
割り付ける再生ボタン１４が入力されると（ステップＳ４０４Ｙｅｓ）、記憶機能４０の中の受信データ保存機能４２が、割り付ける再生ボタンと赤外線受信機能４１に一時的に記憶された赤外線パターンを結び付けて、データ管理機能８０に記憶させる（ステップＳ４０５）。割り付ける再生ボタン１４の入力がなければ（ステップＳ４０４Ｎｏ）、入力待ちの状態で待機する。記憶処理が完了すると、通常状態１００ａに戻る。このとき、状態管理機能３０は、現在状態情報を通常状態１００ａに変更する。記憶させる赤外線パターンの数だけ上記処理を繰り返す。
【００７２】
本実施形態に係るリモコン装置２は、以上のように構成されているので、次のような作用効果を奏する。
【００７３】
ユーザーからの入力を受け付ける入力機能１０と、入力機能１０からの入力情報に基づいて各機能を制御する制御機能２０と、異なる機種の映像再生装置４における、各機種を操作するための送信コード情報と、各機種を示す動作モード情報とを記憶するデータ管理機能８０と、リモコン装置２に登録された動作モード情報を管理する動作モード管理機能６０と、映像記録媒体３を再生するための送信コード情報を映像再生装置４に送信する送信機能とを備えており、動作モード管理機能６０により、動作モード情報を操作対象の映像再生装置４の機種に応じて変更することができるので、異なる映像再生装置４であっても同じリモコン装置２により操作することができる。さらに、送信機能５０により、映像記録媒体３に記録された映像のうち指定したチャプターを再生するための複数の送信コード情報を、動作モード情報に応じてデータ管理機能８０から取得し、映像再生装置４に送信することができるので、記録された映像の指定部分を一回の操作で再生することができる。以上により、絵本や教本等の印刷物１に対応した映像を記録した映像記録媒体３を再生する場合に、異なる映像再生装置４であっても操作でき、かつ簡単に操作することができる。
【００７４】
また、リモコン装置２の処理状態を示す現在状態情報を管理する状態管理機能３０を備えており、制御機能２０により、入力機能１０からの入力情報と、状態管理機能３０からの現在状態情報に基づいて各機能を制御することができる。従って、同一の入力情報であっても現在状態情報が違えば処理が異なるため、同一のボタンに複数の機能を持たすことができ、入力ボタンを少なくすることができる。
【００７５】
また、データ管理機能８０は、映像記録媒体３に記録された複数のチャプターのそれぞれの再生時間であるチャプター時間情報を記憶しており、前回の再生開始からの時間を計測して、前回再生チャプターの再生時間情報を管理するチャプター時間管理機能７０を備えており、送信機能５０により、チャプター時間情報と再生時間情報とを比較して前回再生が終了したかどうかを判断し、前回再生が終了したか否かによって映像再生装置４に送信する送信コードを決定することができる。機種によっては、前回再生チャプターの再生が終了したかどうかにより、任意チャプターの再生のために必要な送信コードが異なる場合があるが、この問題を解決することができる。
【００７６】
また、映像再生装置４の付属リモコンからの送信コードを受信し、入力機能１０から入力される入力情報に割り付けて、データ管理機能８０に記憶する記憶機能４０を備えており、予めリモコン装置２に登録されていない機種の映像再生装置４であっても操作することができる。
【００７７】
以上、本実施形態によれば、ＤＶＤ等の映像記録媒体に記録された映像を再生する場合に、異なる映像再生装置であっても、記録された映像の指定部分を一回の操作で再生することができる。
【実施例】
【００７８】
図１１は、印刷物１が動物の絵本の場合の、リモコン装置２の使用状態を示す図である。印刷物（絵本）１には、色々な動物に関する解説が記載されており、絵本１に付属されたリモコン装置２には、それぞれの動物の図柄と、それに対する再生ボタンが設けられている。幼児等のユーザーは、絵本１を読みながら、興味のある動物がでてきたら、リモコン装置２のその動物に対応するボタンを押す。すると、映像再生装置４にセットされた映像記録媒体３に収録された映像の中から、ユーザーが押したボタンに対応した動画が再生される。
【符号の説明】
【００７９】
１  印刷物
２  リモコン装置
３  映像記録媒体
４  映像再生装置
５  ディスプレイ
１０  入力機能
１１  モード変更ボタン
１２  記憶ボタン
１３  予備ボタン
１４  再生ボタン
１５  図柄
２０  制御機能
２１  ＶＣＣ
２２  ＣＰＵ
２３  入力スイッチ
２４  赤外線ＬＥＤ
２５  赤外線受光モジュール
２６  ＯＳＣ
２７  不揮発性メモリ
３０  状態管理機能
４０  記憶機能
４１  赤外線受信機能
４２  受信データ保存機能
５０  送信機能
５１  マクロ送信機能
５２  送信コード取得機能
５３  赤外線送信機能
６０  動作モード管理機能
７０  チャプター時間管理機能
８０  データ管理機能
９０  Ｅｒｒ管理機能
１００  初期化機能
５００  映像再生システム
【図１】
2012028844.tif 000003
【図２】
2012028844.tif 000004
【図３】
2012028844.tif 000005
【図４】
2012028844.tif 000006
【図５】
2012028844.tif 000007
【図６】
2012028844.tif 000008
【図７】
2012028844.tif 000009
【図８】
2012028844.tif 000010
【図９】
2012028844.tif 000011
【図１０】
2012028844.tif 000012
【図１１】
2012028844.tif 000013
【図１２】
2012028844.tif 000014
【図１３】
2012028844.tif 000015